(57)【特許請求の範囲】
【請求項１】
嵌合方向に沿って互いに嵌合可能なコネクタと相手側コネクタとを備えたコネクタ装置であって、
前記相手側コネクタは、相手側ハウジングと、相手側主端子と、相手側副端子とを備えており、
前記相手側主端子及び前記相手側副端子は、前記相手側ハウジングに保持されており、
前記コネクタは、ハウジングと、主端子と、サブコネクタと、第１操作部材と、第２操作部材とを備えており、
前記主端子は、前記ハウジングに保持されており、
前記サブコネクタは、移動可能に前記ハウジングに支持されており、かつ副端子を有しており、
前記第１操作部材は、前記ハウジングに取り付けられており、
前記第１操作部材は、前記ハウジングに対し、立てた位置と倒された位置との間で相対的に移動可能であり、
前記第２操作部材は、前記第１操作部材に取り付けられており、
前記第２操作部材は、前記第１操作部材に対し、第１位置と第２位置との間で相対的に移動可能であり、
前記第２操作部材は、前記第１位置に位置するとき、前記第１操作部材の外部へ第１突出量で部分的に突出しており、
前記第２操作部材は、前記第２位置に位置するとき、前記第１操作部材の外部へ第１突出量よりも小さい第２突出量で部分的に突出するかまたは前記第１操作部材の内部に収容されており、
前記第１操作部材を第１操作方向へ操作して前記立てた位置から前記倒された位置へ移動させる第１嵌合操作が行われたとき、前記ハウジングは嵌合位置に移動しており、前記主端子は前記相手側主端子に接続されており、かつ前記第２操作部材は前記第１位置を取っており、
前記第１嵌合操作後、前記第２操作部材を前記第１操作方向とは異なる第２操作方向へ操作して前記第１位置から前記第２位置へ移動させる第２嵌合操作が行われたとき、前記サブコネクタは移動しており、前記副端子は前記相手側副端子に接続されている
コネクタ装置。
【請求項２】
請求項１記載のコネクタ装置であって、
前記第１操作部材は、長手方向に長い形状を有しており、
前記第１位置と前記第２位置とは、前記長手方向において互いに異なっている
コネクタ装置。
【請求項３】
請求項２記載のコネクタ装置であって、
前記第２操作方向は、少なくとも前記長手方向の成分を含む
コネクタ装置。
【請求項４】
請求項１乃至請求項３のいずれかに記載のコネクタ装置であって、
前記ハウジングは、前記第２操作部材と突き当たる突当部を有しており、
前記突当部は、前記第１嵌合操作の間に、前記第２操作部材と突き当たり、前記第２操作部材を初期位置から前記第１位置へ移動させる
コネクタ装置。
【請求項５】
請求項４記載のコネクタ装置であって、
前記突当部は、前記第２嵌合操作を許容する位置であって、前記第２嵌合操作によって前記第２操作部材を前記第２操作方向へ所定距離移動させたとき、第２操作部材から離れる位置に設けられている
コネクタ装置。
【請求項６】
請求項１乃至請求項５のいずれかに記載のコネクタ装置であって、
前記ハウジングは、第１維持部を有しており、
前記第２操作部材は、第２維持部を有しており、
前記第２嵌合操作の後、前記第２操作部材をさらに前記第２操作方向へ移動させたとき、前記第２維持部は、前記嵌合方向において前記第１維持部に隣接する位置を取り、前記第１操作部材が前記倒された位置から前記立てた位置へ移動することを阻止する
コネクタ装置。
【請求項７】
請求項４記載のコネクタ装置であって、
前記第１操作部材は、板状の張出部を有しており、
前記張出部には、凹部が形成されており、
前記第２操作部材は、バネと、前記バネに支持された先端部とを有しており、
前記初期位置において前記先端部は前記凹部に収容されて前記第２操作部材の前記第２操作方向への移動を阻止し、
前記第１嵌合操作により前記第２操作部材が前記第１位置へ移動したとき、前記先端部は前記凹部の外へ出て前記第２操作部材の前記第２操作方向への移動を許容する
コネクタ装置。
【請求項８】
請求項１乃至請求項６のいずれかに記載のコネクタ装置であって、
前記第１操作部材は、規制部を有しており、
前記第２操作部材は、前記規制部に規制される被規制部を有しており、
前記規制部は、前記第１操作部材が前記倒された位置に移動するまで前記被規制部を規制して、前記第２操作部材が前記第２操作方向へ移動することを阻止し、
前記被規制部は、前記第１操作部材が前記倒された位置に移動したとき、前記規制部から解放され、前記第２操作部材が前記第２操作方向へ移動することが許容される
コネクタ装置。
【請求項９】
請求項１乃至請求項８のいずれかに記載のコネクタ装置であって、
前記サブコネクタは、カム突起を有しており、
前記第２操作部材は、前記カム突起を受けるカム溝を有しており、
前記カム溝は、前記第２操作方向と交差する方向に延びており、
前記第２操作部材を前記第２操作方向へ操作すると、前記カム突起は前記カム溝に沿って移動し、それによって、前記嵌合方向において前記カム突起の位置が変化する
コネクタ装置。
【発明の詳細な説明】
【技術分野】
【０００１】
本発明は、コネクタ装置に関し、特に、電気自動車やハイブリッドカーに取り付けられて、電源システムから供給される電力を中継するコネクタ装置に関する。
【背景技術】
【０００２】
このタイプのコネクタ装置は、例えば、特許文献１に開示されている。
【０００３】
図４０（ａ）に示されるように、特許文献１に開示されたコネクタ装置は、コネクタ９１０と、相手方コネクタ９５０とを備えている。相手方コネクタ９５０は、相手方サブコネクタ９５２を備えている。相手方コネクタ９５０は、相手側の主端子（図示せず）を保持しており、相手方サブコネクタ９５２は、相手側の副端子（図示せず）を保持している。コネクタ９１０は、コネクタハウジング（ハウジング）９１２と、サブコネクタ９１４と、レバー（操作部材）９１６とを備えている。ハウジング９１２は、主端子（図示せず）を保持しており、サブコネクタ９１４は、副端子（図示せず）を保持している。
【０００４】
図４０（ａ）及び図４０（ｂ）に示されるように、操作部材９１６は、回転操作によって、回転方向（ＤＲ）に回転し、初期状態（図４０（ａ）の状態）から第１状態（図４０（ｂ）の状態）に遷移する。操作部材９１６が第１状態に遷移する際、コネクタハウジング９１２が上下方向（Ｚ方向）において下方に移動して、コネクタ９１０の主端子（図示せず）が相手方コネクタ９５０の主端子（図示せず）と接続する。図４０（ｂ）及び図４０（ｃ）に示されるように、回転させた操作部材９１６は、スライド操作によって、スライド方向（ＤＳ）にスライドし、第１状態から第２状態（図４０（ｃ）の状態）に遷移する。操作部材９１６が第２状態に遷移する際、サブコネクタ９１４が下方に移動して、コネクタ９１０の副端子（図示せず）が相手方コネクタ９５０の副端子（図示せず）と接続する。この結果、通電が開始される。
【先行技術文献】
【特許文献】
【０００５】
【特許文献１】特開２００２−３４３１６９号公報
【発明の概要】
【発明が解決しようとする課題】
【０００６】
図４０（ｂ）及び図４０（ｃ）から理解されるように、操作部材９１６が第１状態にあるか第２状態にあるかは見分け難い。このため、操作部材９１６を回転させた段階で操作を一時的に中断したような場合、レバー９１６がスライド済みであり操作が完了していると勘違いされる可能性がある。この場合、いつまでたっても通電が開始されない。
【０００７】
そこで、本発明は、操作部材を２回以上操作することで互いに接続されるコネクタと相手側コネクタとを備えたコネクタ装置であって、操作部材の操作が完了しているか否かを視認し易いコネクタ装置を提供することを目的とする。
【課題を解決するための手段】
【０００８】
本発明は、第１のコネクタ装置として、
嵌合方向に沿って互いに嵌合可能なコネクタと相手側コネクタとを備えたコネクタ装置であって、
前記相手側コネクタは、相手側ハウジングと、相手側主端子と、相手側副端子とを備えており、
前記相手側主端子及び前記相手側副端子は、前記相手側ハウジングに保持されており、
前記コネクタは、ハウジングと、主端子と、サブコネクタと、第１操作部材と、第２操作部材とを備えており、
前記主端子は、前記ハウジングに保持されており、
前記サブコネクタは、移動可能に前記ハウジングに支持されており、かつ副端子を有しており、
前記第１操作部材は、前記ハウジングに取り付けられており、
前記第１操作部材は、前記ハウジングに対し、立てた位置と倒された位置との間で相対的に移動可能であり、
前記第２操作部材は、前記第１操作部材に取り付けられており、
前記第２操作部材は、前記第１操作部材に対し、第１位置と第２位置との間で相対的に移動可能であり、
前記第２操作部材は、前記第１位置に位置するとき、前記第１操作部材の外部へ第１突出量で部分的に突出しており、
前記第２操作部材は、前記第２位置に位置するとき、前記第１操作部材の外部へ第１突出量よりも小さい第２突出量で部分的に突出するかまたは前記第１操作部材の内部に収容されており、
前記第１操作部材を第１操作方向へ操作して前記立てた位置から前記倒された位置へ移動させる第１嵌合操作が行われたとき、前記ハウジングは嵌合位置に移動しており、前記主端子は前記相手側主端子に接続されており、かつ前記第２操作部材は前記第１位置を取っており、
前記第１嵌合操作後、前記第２操作部材を前記第１操作方向とは異なる第２操作方向へ操作して前記第１位置から前記第２位置へ移動させる第２嵌合操作が行われたとき、前記サブコネクタは移動しており、前記副端子は前記相手側副端子に接続されている
コネクタ装置を提供する。
【０００９】
また、本発明は、第２のコネクタ装置として、第１のコネクタ装置であって、
前記第１操作部材は、長手方向に長い形状を有しており、
前記第１位置と前記第２位置とは、前記長手方向において互いに異なっている
コネクタ装置を提供する。
【００１０】
また、本発明は、第３のコネクタ装置として、第２のコネクタ装置であって、
前記第２操作方向は、少なくとも前記長手方向の成分を含む
コネクタ装置を提供する。
【００１１】
また、本発明は、第４のコネクタ装置として、第１乃至第３のいずれかのコネクタ装置であって、
前記ハウジングは、前記第２操作部材と突き当たる突当部を有しており、
前記突当部は、前記第１嵌合操作の間に、前記第２操作部材と突き当たり、前記第２操作部材を初期位置から前記第１位置へ移動させる
コネクタ装置を提供する。
【００１２】
また、本発明は、第５のコネクタ装置として、第４のいずれかのコネクタ装置であって、
前記突当部は、前記第２嵌合操作を許容する位置であって、前記第２嵌合操作によって前記第２操作部材を前記第２操作方向へ所定距離移動させたとき、第２操作部材から離れる位置に設けられている
コネクタ装置を提供する。
【００１３】
また、本発明は、第６のコネクタ装置として、第１乃至第５のいずれかのコネクタ装置であって、
前記ハウジングは、第１維持部を有しており、
前記第２操作部材は、第２維持部を有しており、
前記第２嵌合操作の後、前記第２操作部材をさらに前記第２操作方向へ移動させたとき、前記第２維持部は、前記嵌合方向において前記第１維持部に隣接する位置を取り、前記第１操作部材が前記倒された位置から前記立てた位置へ移動することを阻止する
コネクタ装置を提供する。
【００１４】
また、本発明は、第７のコネクタ装置として、第４のいずれかのコネクタ装置であって、
前記第１操作部材は、板状の張出部を有しており、
前記張出部には、凹部が形成されており、
前記第２操作部材は、バネと、前記バネに支持された先端部とを有しており、
前記初期位置において前記先端部は前記凹部に収容されて前記第２操作部材の前記第２操作方向への移動を阻止し、
前記第１嵌合操作により前記第２操作部材が前記第１位置へ移動したとき、前記先端部は前記凹部の外へ出て前記第２操作部材の前記第２操作方向への移動を許容する
コネクタ装置を提供する。
【００１５】
また、本発明は、第８のコネクタ装置として、第１乃至第６のいずれかのコネクタ装置であって、
前記第１操作部材は、規制部を有しており、
前記第２操作部材は、前記規制部に規制される被規制部を有しており、
前記規制部は、前記第１操作部材が前記倒された位置に移動するまで前記被規制部を規制して、前記第２操作部材が前記第２操作方向へ移動することを阻止し、
前記被規制部は、前記第１操作部材が前記倒された位置に移動したとき、前記規制部から解放され、前記第２操作部材が前記第２操作方向へ移動することが許容される
コネクタ装置を提供する。
【００１６】
さらに、本発明は、第９のコネクタ装置として、第１乃至第８のいずれかのコネクタ装置であって、
前記サブコネクタは、カム突起を有しており、
前記第２操作部材は、前記カム突起を受けるカム溝を有しており、
前記カム溝は、前記第２操作方向と交差する方向に延びており、
前記第２操作部材を前記第２操作方向へ操作すると、前記カム突起は前記カム溝に沿って移動し、それによって、前記嵌合方向において前記カム突起の位置が変化する
コネクタ装置。
【発明の効果】
【００１７】
本発明によれば、第１嵌合操作が行われると、第１操作部材は倒された位置に移動し、第２操作部材は第１位置を取る。また、第２嵌合操作が行われると、第２操作部材は第１位置から第２位置へ移動する。ここで、第１位置を取る第２操作部材の第１操作部材からの第１突出量は、第２位置を取る第２操作部材の第１操作部材からの第２突出量と異なる。したがって、第２操作部材の操作が完了しているか否かを容易に視認できる。
【図面の簡単な説明】
【００１８】
【図１】本発明の実施の形態によるコネクタ装置を示す斜視図である。ここで、コネクタのハウジングは分離位置にある。コネクタ装置のコネクタの第１操作部材は立てた位置にある。
【図２】図１のコネクタ装置の相手側コネクタを示す分解斜視図である。
【図３】図１のコネクタ装置のコネクタを示す分解斜視図である。
【図４】図３のコネクタに含まれる第１操作部材の斜視図である。
【図５】図３のコネクタに含まれる第１操作部材の別の斜視図である。
【図６】図３のコネクタに含まれる第２操作部材の斜視図である。
【図７】図３のコネクタに含まれる第２操作部材の別の斜視図である。
【図８】図１のコネクタ装置を示す斜視図である。ここで、コネクタのハウジングは嵌合開始位置にあり、コネクタの第１操作部材は立てた位置にある。
【図９】図８のコネクタ装置の平面図である。
【図１０】図９のコネクタ装置をＡ−−Ａ線に沿って示す断面図である。ここで、コネクタの主端子の先端近傍（破線で囲んだ部分）を拡大して描画している。
【図１１】図９のコネクタ装置をＢ−−Ｂ線に沿って示す断面図である。
【図１２】図１のコネクタ装置の斜視図である。ここで、第１操作部材は立てた位置と倒された位置の間に位置にあり、コネクタの第２操作部材は、初期位置にある。
【図１３】図１２のコネクタ装置の平面図である。
【図１４】図１３のコネクタ装置をＣ−−Ｃ線に沿って示す断面図である。ここで、コネクタの主端子の先端近傍（破線で囲んだ部分）を拡大して描画している。
【図１５】図１３のコネクタ装置をＤ−−Ｄ線に沿って示す断面図である。
【図１６】図１３のコネクタ装置をＥ−−Ｅ線に沿って示す断面図である。
【図１７】図１３のコネクタ装置をＦ−−Ｆ線に沿って示す断面図である。ここで、第１操作部材の張出部近傍（破線で囲んだ部分）を拡大して描画している。相手側サブコネクタは示されていない。
【図１８】図１３のコネクタ装置をＦ−−Ｆ線に沿って切断して示す斜視図である。相手側サブコネクタは示されていない。
【図１９】図１３のコネクタ装置をＧ−−Ｇ線に沿って示す断面図である。
【図２０】図１のコネクタ装置の斜視図である。ここで、第１操作部材は倒された位置にあり、第２操作部材は、第１位置にある。
【図２１】図２０のコネクタ装置の平面図である。
【図２２】図２１のコネクタ装置をＨ−−Ｈ線に沿って示す断面図である。ここで、コネクタの主端子の先端近傍（破線で囲んだ部分）を拡大して描画している。
【図２３】図２１のコネクタ装置をＩ−−Ｉ線に沿って示す断面図である。
【図２４】図２１のコネクタ装置をＪ−−Ｊ線に沿って示す断面図である。
【図２５】図２１のコネクタ装置をＫ−−Ｋ線に沿って示す断面図である。ここで、コネクタの副端子の先端近傍（破線で囲んだ部分）を拡大して描画している。
【図２６】図２１のコネクタ装置をＬ−−Ｌ線に沿って示す断面図である。相手側サブコネクタは示されていない。
【図２７】図２１のコネクタ装置をＬ−−Ｌ線に沿って切断して示す斜視図である。相手側サブコネクタは示されていない。
【図２８】図２１のコネクタ装置をＭ−−Ｍ線に沿って示す断面図である。
【図２９】図１のコネクタ装置の斜視図である。ここで、第１操作部材は倒された位置にあり、第２操作部材は、規制解除位置にある。
【図３０】図２９のコネクタ装置の平面図である。
【図３１】図２９のコネクタ装置の側面図である。
【図３２】図３０のコネクタ装置をＮ−−Ｎ線に沿って示す断面図である。ここで、コネクタの副端子の先端近傍（破線で囲んだ部分）を拡大して描画している。
【図３３】図３０のコネクタ装置をＯ−−Ｏ線に沿って示す断面図である。
【図３４】図１のコネクタ装置の斜視図である。ここで、第１操作部材は倒された位置にあり、第２操作部材は、ロック位置にある。
【図３５】図３４のコネクタ装置の平面図である。
【図３６】図３４のコネクタ装置の側面図である。
【図３７】図３５のコネクタ装置をＰ−−Ｐ線に沿って示す断面図である。ここで、コネクタの副端子の先端近傍（破線で囲んだ部分）を拡大して描画している。
【図３８】図３５のコネクタ装置をＱ−−Ｑ線に沿って示す断面図である。
【図３９】図３５のコネクタ装置をＲ−−Ｒ線に沿って示す断面図である。
【図４０】特許文献１のコネクタ装置を示す側面図である。
【発明を実施するための形態】
【００１９】
図１から理解されるように、本発明の実施の形態によるコネクタ装置１０は、電気自動車等の対象物（図示せず）に取り付けられ、電源システム（図示せず）から供給された電力を、例えばモーター（図示せず）に中継するように構成されている。但し、本発明は、電源の中継を行うコネクタ装置１０以外のコネクタ装置に適用することも可能である。
【００２０】
図１及び図８に示されるように、本実施の形態によるコネクタ装置１０は、コネクタ２０と、相手側コネクタ６０とを備えている。コネクタ２０は、相手側コネクタ６０と嵌合方向（−Ｚ方向）に沿って嵌合可能であり且つ相手側コネクタ６０から抜去方向（＋Ｚ方向）に沿って抜去可能である。
【００２１】
図２に示されるように、本実施の形態による相手側コネクタ６０は、絶縁性材料からなる相手側ハウジング６００と、導電性材料からなる４つの相手側主端子６８０と、相手側サブコネクタ７００と、金属製の４つのナット８００と、金属製の２つのハトメ８１０とを有している。４つの相手側主端子６８０は、２つの対を構成する。
【００２２】
図２に示されるように、本実施の形態による相手側ハウジング６００は、プレート６１０と、本体上部６２０と、本体下部６７０とを有している。プレート６１０は、ＸＹ平面と平行な平板形状を有している。プレート６１０には、孔部６１２が形成されている。孔部６１２には、補強のため、ハトメ８１０が取り付けられている。孔部６１２は、相手側ハウジング６００を対象物（図示せず）に取り付ける際に使用される。本体上部６２０は、プレート６１０から上下方向（Ｚ方向）において上方（＋Ｚ方向）に突出しており、本体下部６７０は、プレート６１０から下方（−Ｚ方向）に突出している。相手側ハウジング６００が対象物に取り付けられると、本体下部６７０は、対象物の内部に挿入される。
【００２３】
本体上部６２０は、前後方向（Ｙ方向）に長く幅方向（Ｘ方向）に短い形状であって、概略２つの四角筒を連結したような形状を有している。換言すると、本体上部６２０は、幅方向に比較的短い前部６２２と、幅方向に比較的長い後部６２４とを有している。詳しくは、本体上部６２０は、前壁部６２６と、後壁部６２８と、２つの側壁部６３０と、収容部（収容空間）６３２とを有している。前壁部６２６は、本体上部６２０のＹ方向における前端部（＋Ｙ側の端部）に位置しており、後壁部６２８は、本体上部６２０のＹ方向における後端部（−Ｙ側の端部）に位置している。側壁部６３０は、本体上部６２０のＸ方向における両側部に夫々位置している。収容部６３２は、ＸＹ平面において、前壁部６２６、後壁部６２８及び側壁部６３０に囲まれた空間である。
【００２４】
図２に示されるように、側壁部６３０の夫々は、収容部６３２に面した内面６３４を有している。内面６３４は、前部内面６３６と後部内面６３８とそれらを繋ぐ中間部内面６４０を含む。前部内面６３６と後部内面６３８は、それぞれＹＺ平面と平行に延びている。前部内面６３６と後部内面６３８は、Ｘ方向においてずれている。中間部内面６４０は、前部内面６３６と後部内面６３８とを繋ぐように湾曲している。前部内面６３６には、維持部（第１維持部）６６２と、突出部６６４とが設けられている。また、後部内面６３８には、相手側被作用部（第１カム突起）６６６が設けられている。維持部６６２及び突出部６６４は、前部内面６３６から収容部６３２内に突出し、相手側被作用部６６６は、後部内面６３８から収容部６３２内に突出している。
【００２５】
維持部６６２は、側壁部６３０の前端（＋Ｙ側の端）近傍に設けられている。維持部６６２は、側壁部６３０の上端（＋Ｚ側の端）に沿ってＹ方向に長く延びている。突出部６６４には、押し戻し部６６８が設けられている。詳しくは、突出部６６４は、ＸＹ平面と平行な上面を有している。本実施の形態による押し戻し部６６８は、突出部６６４の上面である。相手側被作用部６６６は、Ｘ方向に延びる円柱形状を有している。
【００２６】
収容部６３２は、上方に開口している。収容部６３２内には、４つの主保持部６５０と１つの副保持部６５４が設けられている。後述するように、主保持部６５０は、相手側主端子６８０を夫々保持しており、副保持部６５４は相手側サブコネクタ７００を保持している。４つの主保持部６５０は、Ｘ方向及びＹ方向に配列されている。主保持部６５０の夫々には、保持孔６５２が形成されている。同様に、副保持部６５４にも保持孔６５６が形成されている。保持孔６５２及び保持孔６５６は、相手側ハウジング６００をＺ方向に貫通している。
【００２７】
主保持部６５０の夫々は、２つの側壁を有している。主保持部６５０の側壁は、主保持部６５０のＸ方向における両側部に夫々位置している。４つの主保持部６５０のうち後側（−Ｙ側）に位置する２つの主保持部６５０は、それぞれキー部６５８を有している。キー部６５８は、主保持部６５０の２つの側壁の一方に設けられている。キー部６５８は、主保持部６５０の側壁に形成された凹みである。キー部６５８は、Ｘ方向内側に凹んでおり、Ｚ方向に延びている。
【００２８】
図２に示されるように、本実施の形態による相手側サブコネクタ７００は、主として絶縁性材料からなる本体部７１０を有している。本体部７１０には、上方に開口した２つの受容部７１２が設けられている。受容部７１２は、Ｘ方向に並んでいる。即ち、受容部７１２の一方は、本体部７１０の＋Ｘ側に位置しており、受容部７１２の他方は、本体部７１０の−Ｘ側に位置している。
【００２９】
図２及び図２５から理解されるように、本体部７１０の受容部７１２には、導電性材料からなる２つの相手側副端子７８０が、互いに接触しないようにして保持されている。このため、２つの相手側副端子７８０は、互いに電気的に接続されていない。相手側副端子７８０の夫々は、接触部７８２と端子部７８４とを有している。端子部７８４には、圧着や半田付け等により電線７８６が接続されている。
【００３０】
図２５に示されるように、相手側副端子７８０を保持した相手側サブコネクタ７００は、相手側ハウジング６００の副保持部６５４に保持される。相手側副端子７８０の端子部７８４に接続された電線７８６は、相手側ハウジング６００のプレート６１０の下方においてＹ方向に延びている。相手側ハウジング６００が対象物（図示せず）に取り付けられたとき、電線７８６は、検知回路（図示せず）に電気的に接続される。
【００３１】
図２に示されるように、本実施の形態による相手側主端子６８０の夫々は、本体部６８２と、受容部６８４と、接触片６８６と、端子部６８８とを有している。本体部６８２は、Ｚ方向に延びる四角筒形状を有している。受容部６８４は、本体部６８２に囲まれた空間である。接触片６８６は、受容部６８４内に保持されている。端子部６８８は、本体部６８２の下端部（−Ｚ側の端部）からＸ方向外側に延びている。
【００３２】
図１０に示されるように、相手側主端子６８０は、相手側ハウジング６００の主保持部６５０の保持孔６５２（図２参照）に下方から夫々挿入されて保持されている。端子部６８８の上には、ナット８００が配置されている。本体部６８２は、接触部６８３を有している。接触部６８３は、受容部６８４内に突出している。接触片６８６は、接触部６８３と対向するように設けられている。接触片６８６の一部は、接触部６８３に向かって、受容部６８４に突出している。相手側ハウジング６００が対象物（図示せず）に取り付けられたとき、端子部６８８は、電源回路（図示せず）に電気的に接続される。但し、各対を構成する２つの相手側主端子６８０の端子部６８８は、互いに電気的に接続されていない。このため、電源回路は遮断されている。
【００３３】
図３に示されるように、本実施の形態によるコネクタ２０は、絶縁性材料からなるハウジング２００と、導電性材料からなる２つの主端子（電源端子）２８０と、絶縁性材料からなる第１操作部材（レバー）３００と、絶縁性材料からなる第２操作部材（スライダ）４００と、サブコネクタ５００とを有している。
【００３４】
図３に示されるように、本実施の形態によるハウジング２００は、斜め上方から見たとき、Ｙ方向に長くＸ方向に短い形状であって、２つの直方体を連結したような形状を有している。換言すると、ハウジング２００は、幅方向（Ｘ方向）に比較的短い前部２０２と、幅方向に比較的長い後部２０４とを有している。詳しくは、ハウジング２００は、前壁部２０６と、後壁部２０８と、２つの側壁部２１０と、カバー部２１２とを有している。前壁部２０６は、ハウジング２００のＹ方向における前端部に位置しており、後壁部２０８は、ハウジング２００のＹ方向における後端部に位置している。側壁部２１０は、ハウジング２００のＸ方向における両側部に夫々位置している。また、側壁部２１０は、前部側面２１４、後部前面２１６及び後部側面２１８を有している。カバー部２１２は、ハウジング２００のＺ方向における上端部（＋Ｚ側の端部）に位置している。
【００３５】
図２５に示されるように、ハウジング２００の内部には、隔壁部２２０と、前収容部（前収容空間）２２２と、後収容部（後収容空間）２２４とが形成されている。前収容部２２２は、前壁部２０６、側壁部２１０、隔壁部２２０及びカバー部２１２によって囲まれた空間である（図３参照）。また、後収容部２２４は、隔壁部２２０、後壁部２０８、側壁部２１０及びカバー部２１２によって囲まれた空間である（図３参照）。前収容部２２２はハウジング２００の前側（＋Ｙ側）に位置しており、後収容部２２４はハウジング２００の後側に位置している。隔壁部２２０は、ＸＺ平面と平行に延びている。前収容部２２２と後収容部２２４とは、隔壁部２２０によって互いから隔てられている。
【００３６】
図２５に示されるように、前収容部２２２内には、突出部２２６と突出部２２８とが設けられている。突出部２２６は、前壁部２０６の内面に設けられており、前収容部２２２内において後方（−Ｙ方向）に突出している。詳しくは、突出部２２６は、前壁部２０６の内面から後方に延びるＸＹ平面と平行な上面と、上面から下方に傾斜しつつ前壁部２０６の内面まで延びる下面（−Ｚ側の面）とを有している。突出部２２８は、隔壁部２２０の前面（＋Ｙ側の面）に設けられており、前収容部２２２内において前方（＋Ｙ方向）に突出している。詳しくは、突出部２２８は、隔壁部２２０の前面から下方に傾斜しつつ前方に延びる上面と、隔壁部２２０の前面から上方に傾斜しつつ前方に延びる下面とを有している。
【００３７】
図３に示されるように、ハウジング２００は、ロック部２６２を有している。詳しくは、前壁部２０６には、突出部２６０が設けられている。突出部２６０は、前壁部２０６の上部（＋Ｚ側の部位）から前方に突出している。突出部２６０は、前壁部２０６から下方に傾斜しつつ前方に延びる上面と、前壁部２０６から上方に傾斜しつつ前方に延びる下面とを有している。本実施の形態によるロック部２６２は、突出部２６０の下面である。
【００３８】
図３に示されるように、側壁部２１０の夫々には、突当部２４０と、受容部２４２と、支持軸２５４と、ガイド溝２５６とが設けられている。突当部２４０は、ハウジング２００の前部２０２と後部２０４との境界付近で、側壁部２１０の後部前面２１６に前方（＋Ｘ方向）へ突き出すように設けられている。受容部２４２は、ハウジング２００の前部２０２と後部２０４との境界部分において、ハウジング２００のＺ方向における上端部から突当部２４０の周囲まで下方（−Ｚ方向）へ延びている。支持軸２５４は、側壁部２１０の上端部の近傍に形成されている。支持軸２５４は、側壁部２１０からＸ方向外側に突出した円柱形状の部位（円柱部）と、円柱部の端部に鍔状に設けられた長円形状の部位（長円部）とを有している。長円部は、Ｚ方向において短くＹ方向において長い。ガイド溝２５６は、側壁部２１０をＸ方向に貫通しつつＺ方向に延びる溝である。ガイド溝２５６は、側壁部２１０の下方に開口している。
【００３９】
図３に示されるように、本実施の形態による主端子２８０は、ＹＺ平面と平行な平板形状を有している。詳しくは、主端子２８０は、それぞれ、２つの接触部２８２と、連結部２８４とを有している。接触部２８２の夫々は、連結部２８４から−Ｚ方向に延びており、連結部２８４は接触部２８２をＹ方向に連結している。連結部２８４には、２つの被支持部２８６が設けられている。被支持部２８６の夫々は、連結部２８４からＹ方向外側に突出している。主端子２８０は、ハウジング２００の下方から後収容部２２４に挿入されてハウジング２００に保持されている（図１７参照）。詳しくは、後収容部２２４に挿入された主端子２８０の被支持部２８６は、後収容部２２４の所定位置に支持されており、これにより主端子２８０は、ハウジング２００内に保持されている。
【００４０】
図３、図４及び図５に示されるように、本実施の形態による第１操作部材３００は、２つの側壁部３０２と、連結部３０４と、第１梁部３０６と、第２梁部３０８とを有している。側壁部３０２は、第１操作部材３００のＸ方向における両側部に夫々位置している。図４及び図５に示されるように、側壁部３０２は、長手方向ＤＬに長く延びている。側壁部３０２は、第１部３１０と第２部３１２及びそれらを繋ぐ中間部３１４を有している。図３乃至図５から理解されるように、第１操作部材３００の長手方向ＤＬは、Ｘ方向と直交している。第１部３１０及び第２部３１２は、それぞれ、Ｘ方向と直交する平面（ＹＺ平面）と平行に延びている。側壁部３０２の夫々は、外面３１６を有している。外面３１６は、側壁部３０２のＸ方向外側の面である。連結部３０４は、側壁部３０２の長手方向における一方の端部をＸ方向に連結している。第１梁部３０６は、側壁部３０２の長手方向ＤＬの一方の端部近傍をＸ方向に連結している。第１梁部３０６と連結部３０４とは連続している。第１梁部３０６と連結部３０４は、第１操作部として機能する。第２梁部３０８は、第１操作部材３００の長手方向ＤＬの中央付近において、側壁部３０２をＸ方向に連結している。
【００４１】
図３、図４及び図５に示されるように、側壁部３０２の夫々には、その一部が支点部として作用する軸溝３３０と、軸溝３３０を部分的に覆う溝カバー３３２と、第１作用部（第１カム溝）３４０と、スライド溝３６０とが設けられている。また、第１梁部３０６には、バネ部３５０が設けられている。バネ部３５０は、第１梁部３０６から長手方向ＤＬ及び幅方向の双方と直交する方向（直交方向ＤＰ）へ向かって、第１操作部材３００内に突き出している。バネ部３５０のＸ方向における中央部には、バネ部３５０をＺ方向に貫通する溝が形成されている。溝は、直交方向ＤＰにおいてバネ部３５０の先端近傍まで延びている。溝の先端には、被ロック部３５２が形成されている。即ち、本実施の形態による被ロック部３５２は、上述した溝の縁である。被ロック部３５２は、Ｘ方向に沿って延びている。第２梁部３０８には、一対の張出部３５４が設けられている。張出部３５４は、側壁部３０２のＸ方向内側に位置し、側壁部３０２から離れている。張出部３５４は、板状の形状を有し、直交方向ＤＰに延びている。張出部３５４には凹部３５６が形成されている。凹部３５６の縁部は、規制部として機能する。本実施の形態では、凹部３５６は、板状の張出部３５４の一部を切欠いた形状であるが、窪みや孔であってもよい。
【００４２】
図３、図４及び図５に示されるように、本実施の形態による軸溝３３０は、側壁部３０２をＸ方向に貫通し直交方向ＤＰに延びる溝である。軸溝３３０は、−ＤＰ又は直交方向の一端において開口している。軸溝３３０には、Ｘ方向外側に突き出す溝カバー３３２が形成されている。また、側壁部３０２の外面３１６には、軸溝３３０の＋Ｙ方向の端部周辺に窪み３３４が形成されている。窪み３３４は、ＹＺ平面において、扇形をしている。
【００４３】
図１及び図８に示されるように、第１操作部材３００は、２つの側壁部３０２がハウジング２００をＸ方向に挟むようにしてハウジング２００に取り付けられている。詳しくは、ハウジング２００の支持軸２５４が第１操作部材３００の支点部（軸溝３３０）に夫々挿入されている。図１及び図８乃至図１０から理解されるように、第１操作部材３００は、第１操作部材３００の長手方向ＤＬがＺ方向に延びるようにしてハウジング２００に取り付けられている。このときの第１操作部材３００の位置を「立てた位置」という。即ち、立てた位置にある第１操作部材３００は、垂直に（Ｚ方向に）延びている。一方、図２０に示されるように、長手方向ＤＬがＹ方向に一致するときの第１操作部材３００の位置を「倒された位置」という。
【００４４】
図１１に示されるように、第１操作部材３００が立てた位置にあるとき、支持軸２５４の長円部は、Ｙ方向において軸溝３３０の縁から僅かに離れている。この支持軸２５４と軸溝３３０の配置から理解されるように、第１操作部材３００は、回転方向ＤＲに沿った回転（図８において時計回りの回転）のみが基本的に許容されている。
【００４５】
図１１乃至図２１から理解されるように、本実施の形態の第１操作部材３００は、立てた位置及び倒された位置の間で相対的に移動できるようにハウジング２００に取り付けられている。換言すると、第１操作部材３００は、支点部（軸溝３３０）を中心として回転することで立てた位置と倒された位置との間を移動するように構成されている。
【００４６】
図３に示されるように、本実施の形態による第１操作部材３００の第１作用部３４０は、側壁部３０２の外面３１６に形成された凹みである。第１作用部３４０は、側壁部３０２の長手方向ＤＬにおける一端（図３において−Ｚ側の端）に開口している。即ち、第１操作部材３００が立てた位置にあるとき、第１作用部３４０は、下方に開口している（図１１参照）。第１操作部材３００が立てた位置にあるとき、第１作用部３４０は、上述の開口から上方（＋Ｚ方向）へ延びた後、緩やかに湾曲しつつ前方（＋Ｙ方向）かつ上方へ向かい、支点部３３０の近傍まで延びている。
【００４７】
図３及び図１１に示されるように、本実施の形態によるスライド溝３６０は、側壁部３０２をＸ方向に貫通する溝である。スライド溝３６０は、その一端からわずかに下方（−Ｚ方向）へ湾曲しながら後方（−Ｙ方向）へ延びた後、斜め上前方（＋Ｙ方向かつ＋Ｚ方向）へと延び、さらに上方（＋Ｚ方向）へ延びている。
【００４８】
図６及び図７に示されるように、本実施の形態による第２操作部材４００は、２つの側壁部４０２と、２つの連結部４０８，４１０と、第２操作部４２０とを有している。側壁部４０２は、第２操作部材４００のＸ方向における両側部に夫々位置している。側壁部４０２は、Ｘ方向に直交する平面と平行に延びている。側壁部４０２の夫々は、外面４０４と内面４０６を有している。外面４０４は、側壁部４０２のＸ方向外側の面である。内面４０６は、側壁部４０２のＸ方向内側の面である。連結部４０８，４１０は、ともに側壁部４０２をＸ方向に連結している。第２操作部４２０は、連結部４０８のＸ方向中央部において第１操作部材３００の長手方向ＤＬに沿って突き出た後、さらに直交方向ＤＰに沿って突き出している。
【００４９】
図６及び図７に示されるように、側壁部４０２の夫々には、スライド突起４４０が設けられている。スライド突起４４０は、ＹＺ平面において長円形状を有している。スライド突起４４０は、長円形状が第１操作部材３００の長手方向と交差（ほぼ直交）するように第１操作部材３００のスライド溝３６０に夫々挿入されている（図１１参照）。
【００５０】
図１１に示されるように、第１操作部材３００が立てた位置にあるとき、スライド突起４４０のＺ方向における長さは、スライド溝３６０のどの部分のＺ方向における長さよりも小さい。また、スライド突起４４０のＹ方向における長さは、スライド溝３６０のどの部分のＹ方向における長さよりも小さい。このため、スライド突起４４０は、スライド溝３６０に沿って一端から他端まで移動可能である。換言すると、第２操作部材４００は、スライド突起４４０がスライド溝３６０に沿って移動可能に、第１操作部材３００に支持されている。更に、第２操作部材４００は、スライド突起４４０がスライド溝３６０の一方の端部（図１１において−Ｙ側かつ−Ｚ側の端部）に位置するように第１操作部材３００に取り付けられている。このときの第２操作部材４００の位置（図１１における位置）を「初期位置」という。
【００５１】
図１１、図２３、図３１及び図３６から理解されるように、スライド突起４４０は、スライド溝３６０の一方の端部と他方の端部との間を移動することができる。即ち、第２操作部材４００は、初期位置、第１位置（図２３における位置）、第２位置（図３１における位置と図３６における位置との間の位置）及びロック位置（図３６における位置）の夫々に位置できるようにして第１操作部材３００に支持されている。第１位置、第２位置及びロック位置については後述する。本実施の形態による第２操作部材４００は、第１操作部材３００に対して相対的に移動することで初期位置から第１位置及び第２位置を経てロック位置まで移動するように構成されている。本実施の形態において、第１位置と第２位置は、第１操作部材３００の長手方向において異なっている。また、第１位置と第２位置は、第１操作部材３００が倒された状態において、上下方向（Ｚ方向）に異なっている。
【００５２】
図６及び図７に示すように、第２操作部材４００は、さらに２つの被規制部４２１を有している。本実施の形態による被規制部４２１は、バネ部４２２と、バネ部４２２に支持される先端部４２４とを有している。詳しくは、バネ部４２２は、側壁部４０２の−Ｚ側の端部に設けられている。バネ部４２２は、側壁部４０２の−Ｚ側の端部の中央部から＋Ｙ方向へ延びた後、−Ｙ方向へ延びるＵ字型の形状を有している。先端部４２４は、バネ部４２２の先端に設けられ、Ｘ方向内側に突出している。先端部４２４は、バネ部４２２の弾性変形によりＸ方向に移動可能である。
【００５３】
図１及び図６を参照すると、第２操作部材４００が初期位置に位置するとき、第２操作部材４００の先端部４２４（被規制部４２１）は、第１操作部材３００の凹部３５６内において、凹部３５６の＋Ｚ方向の縁（規制部）に突き当たり、＋Ｚ方向への移動が規制される。また、図１９に示されるように、先端部４２４は、テーパー形状を有しており、バネ部４２２が弾性変形することにより、凹部３５６の−Ｚ方向の縁に乗り上げて＋Ｚ方向への移動することができる。こうして、初期位置に位置する第２操作部材４００は、第１位置へ向かう方向にのみ移動可能である。
【００５４】
図６及び図７に示されるように、側壁部４０２の夫々には、第２作用部（第２カム溝）４５０と、溝部４５２と、維持溝４６０と、支持突起４７０とが更に設けられている。
【００５５】
図３、図６及び図７に示されるように、本実施の形態による第２作用部４５０は、側壁部４０２をＸ方向に貫通する溝である。図１に示されるように、第２作用部４５０は、第２操作部材４００が立てた位置にある第１操作部材３００に支持された状態において、Ｙ方向と交差するようにＺ方向に延びている。図６及び図７に示されるように、溝部４５２は、側壁部４０２の内面４０６に形成された凹部である。溝部４５２は、＋Ｙ方向に開口するとともに、第２作用部４５０に繋がっている。
【００５６】
図６及び図７に示されるように、維持溝４６０は、側壁部４０２の直交方向ＤＰにおける端部付近に設けられている。維持溝４６０は、側壁部４０２の外面４０４に形成された凹部である。維持溝４６０は、第１操作部材３００の長手方向ＤＬに長く延びた溝である。維持溝４６０は、長手方向ＤＬに開口している。第２操作部材４００は、さらに被維持部（第２維持部）４６２を有している。本実施の形態による被維持部４６２は、維持溝４６０の直交方向ＤＰの内面である。
【００５７】
図６及び図７に示されるように、支持突起４７０は、側壁部４０２の外面４０４からＸ方向外側に突き出している。支持突起４７０は、概ね直交方向ＤＰに長く、第１操作部材３００の長手方向ＤＬに短い直方体形状を有している。
【００５８】
側壁部４０２は、さらに被突当部４８０を有している。被突当部４８０は、側壁部４０２の直交方向ＤＰのおける端面である。
【００５９】
図３に示されるように、本実施の形態によるサブコネクタ５００は、絶縁性材料からなるサブハウジング５０１と、導電性材料からなる副端子５８０とを有している。副端子５８０は、サブハウジング５０１に保持されている。サブハウジング５０１は、２つの側壁部５０２と、連結部５０８とを有している。側壁部５０２は、サブコネクタ５００のＸ方向における両側部に夫々位置している。側壁部５０２は、ＹＺ平面と平行に延びている。側壁部５０２の夫々は、外面５０６を有している。外面５０６は、側壁部５０２のＸ方向外側の面である。連結部５０８は、側壁部５０２をＸ方向に連結している。
【００６０】
図２５及び図３２に示されるように、連結部５０８には、バネ部５１０が設けられている。バネ部５１０は、連結部５０８の後方（−Ｙ側）で上方（＋Ｚ方向）に延びている。バネ部５１０は、Ｙ方向（特に、＋Ｙ方向）に弾性変形可能である。サブコネクタ５００のサブハウジング５０１は、位置保持部５１４を更に有している。詳しくは、バネ部５１０の上端部には、−Ｙ方向に突出した突出部５１２が形成されている。突出部５１２は、下方に傾斜しつつ後方に延びる上面と、上方に傾斜しつつ後方に延びる下面とを有している。本実施の形態による位置保持部５１４は、突出部５１２の下面である。突出部５１２（位置保持部５１４）は、バネ部５１０の弾性変形によりＹ方向（特に、＋Ｙ方向）に移動可能である。
【００６１】
図２５及び図３２に示されるように、サブコネクタ５００は、バネ部５１０と同様にＺ方向に延びるバネ部５２０を更に有している。バネ部５２０は、Ｙ方向（特に、＋Ｙ方向）に弾性変形可能である。サブコネクタ５００のサブハウジング５０１は、位置保持部５２４を更に有している。詳しくは、バネ部５２０の上端部には、＋Ｙ方向に突出した突出部５２２が形成されている。突出部５２２は、下方に傾斜しつつ前方（＋Ｙ方向）に延びる上面と、ＸＹ平面上を前方へ延びる下面とを有している。本実施の形態による位置保持部５２４は、突出部５２２の下面である。突出部５２２（位置保持部５２４）は、バネ部５２０の弾性変形によりＹ方向（特に、−Ｙ方向）に移動可能である。
【００６２】
図３に示されるように、側壁部５０２の外面５０６の夫々には、バネ部５３０が形成されている。本実施の形態によるバネ部５３０は、Ｚ方向に長く延びており、外面５０６に両持ち梁状に保持されている。バネ部５３０は、Ｘ方向内側に弾性変形可能である。サブコネクタ５００のサブハウジング５０１は、２つの力受け部５３４を更に有している。詳しくは、バネ部５３０のＺ方向における中間部には、Ｘ方向外側に突出した突出部５３２が形成されている。突出部５３２は、下方に傾斜しつつＸ方向外側に延びる上面と、上方に傾斜しつつＸ方向外側に延びる下面とを有している。本実施の形態による力受け部５３４は、突出部５３２の下面である。突出部５３２（力受け部５３４）は、バネ部５３０の弾性変形によりＸ方向内側に移動可能である。
【００６３】
図３に示されるように、サブコネクタ５００のサブハウジング５０１は、２つの被作用部（第２カム突起）５４０と保持部５５０とを更に有している。被作用部５４０は、側壁部５０２の外面５０６に夫々形成されている。被作用部５４０は、外面５０６からＸ方向外側に延びる円柱形状を有している。保持部５５０は、Ｘ方向において側壁部５０２の間に位置している。
【００６４】
図３に示されるように、本実施の形態による副端子５８０は、被保持部５８２と、２つの接触部５８４とを有している。被保持部５８２は、サブハウジング５０１の保持部５５０に保持されている。接触部５８４は、サブハウジング５０１内を保持部５５０から下方に延びている（図２５参照）。
【００６５】
図１、図３、図１１及び図２５から理解されるように、副端子５８０を保持したサブコネクタ５００は、下方からハウジング２００に挿入されて、前収容部２２２に収容されている。サブコネクタ５００をハウジング２００に挿入する際、サブコネクタ５００の被作用部５４０がハウジング２００のガイド溝２５６にガイドされつつ、サブコネクタ５００が上方に移動する。図２５から理解されるように、このとき、サブコネクタ５００の突出部５２２は、−Ｙ方向に移動してハウジング２００の突出部２２６を乗り越える。同様に、サブコネクタ５００の突出部５１２は、＋Ｙ方向に移動してハウジング２００の突出部２２８を乗り越える。突出部５１２が突出部２２８の上方に位置すると、サブコネクタ５００は前収容部２２２に収容される。このときのサブコネクタ５００の位置（図２５における位置）を「保持位置」という。
【００６６】
図２５から理解されるように、サブコネクタ５００が保持位置にあるとき、位置保持部５１４は、突出部２２８の傾斜した上面によって下方から支持されている。このため、サブコネクタ５００に下方に向かう力を加えない限り、サブコネクタ５００は保持位置に維持される。また、仮にサブコネクタ５００が下方に移動したとしても、位置保持部５２４の水平面（ＸＹ平面と平行な面）が、突出部２２６の水平な上面と接触して、サブコネクタ５００の移動が停止する。位置保持部５２４と突出部２２６の上面とが接触するときのサブコネクタ５００の位置（図３７における位置）を「接続位置」という。接続位置にあるサブコネクタ５００は、バネ部５２０を意図的に弾性変形させない限り、更に下方に移動することができない。即ち、サブコネクタ５００は、保持位置及び接続位置の夫々に位置できるようにしてハウジング２００に支持されている。
【００６７】
図１１に示されるように、本実施の形態によれば、サブコネクタ５００が保持位置にあるとき、サブコネクタ５００の被作用部５４０は、ガイド溝２５６の上端に位置している。また、力受け部５３４は、ガイド溝２５６内に位置している。
【００６８】
以下、以上のように構成されたコネクタ２０を相手側コネクタ６０に嵌合する際の操作と、コネクタ２０を相手側コネクタ６０から抜去する際の操作とについて説明する。
【００６９】
図１に示されるように、分離位置にあるハウジング２００を、相手側ハウジング６００に向かって下方に移動させると、ハウジング２００の下端部は、相手側ハウジング６００の収容部６３２に挿入される（図１１参照）。このときのハウジング２００の位置（図８乃至図１１における位置）を「嵌合開始位置」という。
【００７０】
図１０に示されるように、ハウジング２００が嵌合開始位置にあるとき、主端子２８０の４つの接触部２８２の下端部は、相手側主端子６８０の４つの受容部６８４に夫々挿入されている。但し、接触部２８２は、相手側主端子６８０と接触していない。即ち、主端子２８０は、相手側主端子６８０と電気的に接続されていない。
【００７１】
ハウジング２００が嵌合開始位置にあるとき、副端子５８０の接触部５８４は、相手側サブコネクタ７００の上方に位置している。即ち、副端子５８０は、相手側副端子７８０と電気的に接続されていない（図３２参照）。
【００７２】
図１１に示されるように、ハウジング２００が嵌合開始位置に位置し且つ第１操作部材３００が立てた位置に位置しているとき、相手側ハウジング６００の相手側被作用部６６６は、第１操作部材３００の第１作用部３４０の開口を通過して第１作用部３４０内に位置している。詳しくは、相手側被作用部６６６は、第１作用部３４０の開口から＋Ｚ方向へ進んだ位置に位置している。前述したように、本実施の形態による相手側被作用部６６６は第１カム突起６６６であり、第１作用部３４０は第１カム溝３４０である。即ち、ハウジング２００が嵌合開始位置にあるとき、第１カム突起６６６が第１カム溝３４０に受容され、これにより第１カム溝３４０が、第１カム溝３４０内における第１カム突起６６６の移動を許容する。
【００７３】
図８、図１２及び図２０に示されるように、ハウジング２００が嵌合開始位置に位置しているとき、立てた位置（図１１における位置）にある第１操作部材３００を、支点部３３０を中心に回転方向ＤＲ（第１操作方向）に沿って回転させると（即ち、第１嵌合操作を行うと）、第１操作部材３００は倒された位置（図２０における位置）に向かって移動する。
【００７４】
図１２乃至図１９から理解されるように、第１操作部材３００の回転に伴い、第２操作部材４００はサブコネクタ５００に接近する。そして、サブコネクタ５００の被作用部５４０は、第２操作部材４００の溝部４５２内に進入し、第２作用部４５０に達する（図１６参照）。即ち、サブコネクタ５００の被作用部５４０は、第２操作部材４００の第２作用部４５０内に位置している。詳しくは、被作用部５４０は、第２作用部４５０の２つの端部のうちの前側の端部に位置している。前述したように、本実施の形態による被作用部５４０は第２カム突起５４０であり、第２作用部４５０は第２カム溝４５０である。即ち、第１嵌合操作の途中において、サブコネクタ５００が第１位置に位置しているとき、第２カム突起５４０が第２カム溝４５０に受容され、これにより第２カム溝４５０が、第２カム溝４５０内における第２カム突起５４０の移動を許容する。
【００７５】
また、図１６に示されるように、第２操作部材４００の被突当部４８０がハウジング２００の突当部２４０に突き当たる。このとき、図１７及び図１８に示されるように、張出部３５４及び被規制部４２１（バネ部４２２及び先端部４２４）は、受容部２４２に受容される。このとき、第２操作部材４００の先端部４２４（被規制部４２１）は、まだ第１操作部材３００の凹部３５６内に位置している。したがって、第２操作部材４００は、張出部３５４によって第１操作部材３００の長手方向（図３において＋Ｚ方向）の移動が規制されたままである。
【００７６】
第１操作部材３００をさらに第１操作方向に回転させると、第２操作部材４００は、被突当部４８０が突当部２４０に突き当ることにより、その移動が阻止され、第１操作部材３００のみが移動する。その結果、図２０、図２１、図２３乃至図２８から理解されるように、第２操作部材４００は第１操作部材３００に対して相対的に移動する。第２操作部材４００の動きは、スライド突起４４０とスライド溝３６０によって制限される。即ち、図２０及び図２３に示されるように、第１操作部材３００が立てた位置から倒された位置に移動したとき、スライド突起４４０は、スライド溝３６０の上方（＋Ｚ方向）かつ後方（−Ｙ方向）に位置する。図２０及び図２３に示されるときの第２操作部材４００の位置を「第１位置」という。第２操作部材４００が初期位置から第１位置へ移動する間に、第２操作部材４００の先端部４２４（被規制部４２１）は、第１操作部材３００の凹部３５６の縁に乗り上げて、凹部３５６の外に出る。そのため、規制部（凹部３５６）による被規制部４２１の規制が解除され、その結果、第２操作部材４００は、＋Ｙ方向への移動が許容される。
【００７７】
第１操作部材３００が倒された位置（図２０乃至図２８における位置）に移動したとき、第１操作部材３００の長手方向は、Ｙ方向と平行に延びている。即ち、倒された位置にある第１操作部材３００は、水平方向（Ｙ方向）に長く延びている。このとき、第２操作部材４００は第１位置に位置する。このとき第２操作部材４００は、図２３に示されるように、その一部が、長手方向に直交する方向（＋Ｚ方向）に第１の突出量（＝Ｄ１）で第１操作部材３００から突出している。
【００７８】
図２４及び図２５に示されるように、第１嵌合操作を行うと、第１操作部材３００の被ロック部３５２は、ハウジング２００の突出部２６０を乗り越えて、ロック部２６２の下側（−Ｚ側）に位置する。このため、第１操作部材３００は、逆回転方向（図２４及び図２５において反時計回り方向）の力を受けない限り、倒れた位置に維持される。即ち、第１嵌合操作を行うと、被ロック部３５２はロック部２６２にロックされ、これにより第１操作部材３００が倒れた位置に維持される。
【００７９】
図２３に示されるように、ハウジング２００が嵌合開始位置（図１１における位置）に位置したとき、第１カム突起６６６が第１カム溝３４０に受容されることで第１作用部３４０の壁面による相手側被作用部６６６への押圧（作用）が許容される。第１カム突起６６６は、第１嵌合操作において第１作用部３４０の壁面によって押圧され、第１カム溝３４０内を移動する。このときハウジング２００は、嵌合開始位置から下方に移動する。第１操作部材３００が倒された位置に位置すると、第１カム突起６６６は、第１カム溝３４０の端部の一方に位置する。このときのハウジング２００の位置（図２４乃至図２８における位置）を「嵌合位置」という。即ち、本実施の形態によるハウジング２００は、第１カム突起６６６が第１カム溝３４０内を移動することにより、嵌合開始位置から嵌合位置に移動する。換言すれば、本実施の形態によれば、第１嵌合操作によってハウジング２００を嵌合開始位置から嵌合位置に移動することが可能である。
【００８０】
図２２、図２４、図２６及び図２７に示されるように、ハウジング２００が嵌合位置に移動すると、主端子２８０も下方に移動する。このため、主端子２８０が相手側主端子６８０と接続される。本実施の形態によれば、主端子２８０の接触部２８２が、相手側主端子６８０の接触片６８６を弾性変形させつつ、接触片６８６と接触部６８３の間に挟まれる（図２２参照）。このため、主端子２８０は相手側主端子６８０と確実に接続される。主端子２８０と相手側主端子６８０とが互いに接続すると、各対の２つの相手側主端子６８０（図２参照）が、対応する主端子２８０（図３参照）を経由して電気的に接続される。即ち、電源回路（図示せず）が形成される。但し、副端子５８０と相手側副端子７８０とが接続されていないため、電源回路に対する通電はなされていない。
【００８１】
図２５に示されるように、ハウジング２００が嵌合位置に移動すると、副端子５８０も下方に移動する。このため、副端子５８０の２つの接触部５８４の先端が、相手側サブコネクタ７００の２つの受容部７１２に夫々挿入される。但し、接触部５８４は、接触部７８２の上方に位置している。即ち、副端子５８０は、相手側副端子７８０と接続されていない。
【００８２】
第１嵌合操作後、第２操作部材４００を＋Ｙ方向へ操作すると、図２９乃至図３１に示されるように、第２操作部材４００は、＋Ｙ方向へ移動する。これにより、被突当部４８０が突当部２４０から離れる。その結果、第２操作部材４００の−Ｚ方向への移動規制が解除される。即ち、第２操作部材４００の−Ｚ方向への移動が許容される。このように本実施の形態では、突当部２４０は、第２操作部材４００の第２嵌合動作を阻害せず、第２操作部材４００が第２操作方向は所定の距離移動したとき、第２操作部材４００から離れる位置に設けられている。図２９乃至図３１に示される第２操作部材４００の位置を、「規制解除位置」という。図３１において、スライド突起４４０は、スライド溝３６０の＋Ｚ側かつ＋Ｙ側に位置している。
【００８３】
図３２に示されるように、第２操作部材４００が規制解除位置に位置するとき、副端子５８０の２つの接触部５８４の位置は、第２操作部材４００が第１位置に位置するとき（図２５参照）からほとんど変化しない。但し、図３３に示されるように、第２作用部４５０は、Ｙ方向に対して僅かに傾きを有している。このため、第２操作部材４００の＋Ｙ方向への移動に伴い、被作用部５４０が僅かに−Ｚ方向へ移動する。しかしながら、副端子５８０は、依然として、相手側副端子７８０と接続されていない（図３２参照）。
【００８４】
引き続き第２操作部材４００を主として＋Ｙ方向（第２操作方向）へ移動させるように操作すると、即ち、第２嵌合操作を行うと、第２操作部材４００は、スライド突起４４０がスライド溝３６０内を移動するのに合わせて、＋Ｙ方向へ移動するとともに−Ｚ方向へ移動する。つまり、図３４乃至図３６に示されるように、第２操作部材４００は、第２位置へ向かって斜め下方へ移動する。第２操作方向は、−Ｚ方向と＋Ｙ方向を合成した方向でもよい。即ち、第２操作方向は、＋Ｙ方向成分を含んでいればよい。本実施の形態では、第２操作部材４００は、斜め下方に移動し、第２位置へ達した後、さらに前方（＋Ｙ方向）のロック位置へ移動する。本実施の形態においては、規制解除位置にある第２操作部材４００を第２操作方向へ移動させたとき、その進行方向が急に変わる位置を「第２位置」という。また、スライド突起４４０がスライド溝３６０の−Ｚ側かつ＋Ｙ側の端部に位置するときの第２操作部材４００の位置を「ロック位置」という。
【００８５】
本実施の形態では、第２操作部材４００が第１位置から第２位置へ向かうとき、＋Ｙ方向のみならず、−Ｚ方向にも移動する。このため、第２操作部材４００が第２位置若しくはロック位置に達したとき、第２操作部材４００の第１操作部材３００からの長手方向に直交する方向の突出量（第２の突出量）Ｄ２は、第１の突出量Ｄ１よりも小さい。本実施の形態では、図３９から理解されるように、第２突出量Ｄ２は負である。即ち、第２操作部材４００は、第１操作部材３００に収容されている。したがって、第２操作部材４００の一部が、第１操作部材３００の外側に突き出しているか否かによって、第２操作部材４００が第１位置に位置しているか否かを容易に判断することができる。つまり、副端子５８０が相手側副端子７８０に接続されているか否かを容易に判断することができる。ただし、第２突出量Ｄ２は負である必要はなく、正であってもよい。第２突出力Ｄ２は、第１突出量Ｄ１との差を容易に視認できる量であればよい。
【００８６】
図３７に示されるように、第２嵌合操作後も、被ロック部３５２はロック部２６２にロックされており、これにより第１操作部材３００は倒された位置に維持されている。
【００８７】
更に、図３８及び図３９から理解されるように、第２嵌合操作に引き続いて、第２操作部材４００を第２操作方向へ移動させると、第２操作部材４００の被維持部４６２は、相手側ハウジング６００の維持部６６２に隣接する。詳しくは、被維持部４６２は、維持部６６２の下側（−Ｚ側）に位置する。このため、第１操作部材３００の逆回転方向（図３９において反時計回り方向）の回転が防止される。即ち、本実施の形態によれば、第２嵌合操作後、第２操作部材４００がロック位置に向かって移動すると被維持部４６２が維持部６６２と突き当たり、これにより第１操作部材３００が倒された位置に、より確実に維持される。
【００８８】
図２４に示されるように、第１嵌合操作後、サブコネクタ５００が保持位置（図２５における位置）に位置しているとき、第２カム突起５４０が第２カム溝４５０に受容されている。これにより、第２作用部４５０の壁面による被作用部５４０への押圧（作用）が許容される。第２カム突起５４０は、第２嵌合操作において第２作用部４５０の壁面によって押圧され、第２カム溝４５０内を移動する。同時に、第２カム突起５４０は、ガイド溝２５６内を移動する。このときサブコネクタ５００は、保持位置から下方に移動する。第２操作部材４００が第２位置（図３１に示される位置と図３６に示される位置の間の位置）に位置するとき、第２カム突起５４０は、第２カム溝４５０の２つの端部のうちの途中に位置する。このとき、サブコネクタ５００は、接続位置に位置している。即ち、本実施の形態によるサブコネクタ５００は、第２カム突起５４０が第２カム溝４５０内を移動することに加え、スライド突起４４０がスライド溝３６０内を移動することによって、保持位置から接続位置へ移動する。換言すれば、本実施の形態によれば、第２嵌合操作によってサブコネクタ５００を保持位置から接続位置に移動させることが可能である。
【００８９】
図３２及び図３７から理解されるように、サブコネクタ５００が保持位置から接続位置に移動する際、突出部５１２は、＋Ｙ方向に移動してハウジング２００の突出部２２８を乗り越える。
【００９０】
図２４及び図３７から理解されるように、ハウジング２００は第２嵌合操作によっては移動しない。このため、主端子２８０は、第２嵌合操作後も相手側主端子６８０と接続している。
【００９１】
図３７に示されるように、第１嵌合操作後、第２嵌合操作を行うと、サブコネクタ５００の副端子５８０も下方に移動する。このため、副端子５８０の接触部５８４の先端が、相手側副端子７８０の接触部７８２と接触する。詳しくは、接触部５８４の夫々は、接触部７８２を＋Ｙ方向に弾性変形させつつ、接触部７８２と接触する。このため、副端子５８０は相手側副端子７８０と確実に接続される。副端子５８０が相手側副端子７８０と接続されると、２つの相手側副端子７８０（図２参照）が、副端子５８０（図３参照）を経由して電気的に接続される。このため検知回路（図示せず）が動作し、相手側主端子６８０への通電が開始される。
【００９２】
相手側コネクタ６０と嵌合したコネクタ２０は、以下に説明するように相手側コネクタ６０から抜去することができる。
【００９３】
図３９から理解されるように、ロック操作後、第２操作方向と反対の方向（−Ｙ方向）へ第２操作部材４００を操作すると、第２操作部材４００は、第２位置に移動し、ロックが解除される。
【００９４】
さらに、第２操作部材４００を第２操作方向と反対の方向（−Ｙ方向）へ操作すると、図２３に示されるように、第２操作部材４００は第１位置に移動する。これに伴い、サブコネクタ５００が接続位置から保持位置へ移動する（図２５参照）。このため、副端子５８０が上方に移動し、副端子５８０と相手側副端子７８０との電気的な接続が解除される。このため、図２の相手側主端子６８０への通電が停止される。
【００９５】
図２４から理解されるように、第２操作部材４００が第１位置に移動すると、被突当部４８０が突当部２４０に突き当り、第１突出量Ｄ１で突出する状態が維持される（図２３参照）。さらに、図２４に示されるように、このとき、第１操作部材３００は、ロック部２６２による被ロック部３５２のロックのみによって倒された位置に維持されている。
【００９６】
図２４から理解されるように、被ロック部３５２がＹ方向外側（＋Ｙ側）に移動すると、ロック部２６２による被ロック部３５２のロックが外れる。次に、図２３から理解されるように、支点部３３０を中心にして第１操作部材３００を逆回転方向（図２４において反時計回り方向）に回転させると、第１操作部材３００は、倒された位置から立てた位置に移動する。図４に示されるように、本実施の形態によれば、第１操作部材３００の支点部３３０は、連結部（第１操作部）３０４と第１作用部３４０の間に位置している。また、支点部３３０と連結部３０４の間の距離は、支点部３３０と第１作用部３４０の間の距離よりも大きい。このため、第１操作部材３００は、主端子２８０が相手側主端子６８０と強固に接続していたとしても（図２４参照）、比較的小さな力で逆回転方向に回転させることができる。更に、第１操作部材３００は、回転方向ＤＲ（第１操作方向）にも比較的小さな力で回転させることができる。
【００９７】
図１０から理解されるように、第１操作部材３００が立てた位置に移動すると、ハウジング２００が嵌合位置から嵌合開始位置に移動する。このため主端子２８０が上方に移動し、主端子２８０と相手側主端子６８０との接続が解除される。
【００９８】
以上に説明したように、本実施の形態によれば、第１嵌合操作によって第２操作部材４００は第１の突出量Ｄ１で第１操作部材３００から突出する第１位置に位置する。そして、第２嵌合操作を行うことで、第１突出量よりも小さい第２突出量Ｄ２で第１操作部材３００から突出するか、あるいは第１操作部材３００に収容される第２位置に移動する。これにより、副端子５８０が相手側副端子７８０と接続された状態か否かを、目視によって外部から容易に判断することができる。
【００９９】
加えて、本実施の形態によれば、コネクタ２０が相手側コネクタ６０と嵌合する際、第１操作部材３００の操作によってハウジング２００の主端子２８０が相手側主端子６８０と接続し、第２操作部材４００の操作によってサブコネクタ５００の副端子５８０が相手側副端子７８０と接続する。また、第２操作部材４００の操作によって副端子５８０と相手側副端子７８０との接続が解除され、第１操作部材３００の操作によって主端子２８０と相手側主端子６８０との接続が解除される。即ち、主端子２８０を保持したハウジング２００を操作する第１操作部材３００と、副端子５８０を保持したサブコネクタ５００を操作する第２操作部材４００とが異なっている。このため、ハウジング２００の操作とサブコネクタ５００の操作との間に十分な時間を設けることができる。即ち、通電の停止とコネクタ２０と相手側コネクタ６０との分離とを一気に行うことができず、副端子５８０の接続解除から主端子２８０の接続解除までの間の充分な時間を、より確実に得ることができる。
【０１００】
また、図２に示されるように、本実施の形態によれば、相手側ハウジング６００にキー部６５８が設けられている。このため、コネクタ２０とは異なる形状を持つ他のコネクタと相手方コネクタ６０との嵌合を防止することができる。
【０１０１】
以上のように構成されたコネクタ装置１０は、様々に変形することができる。
【０１０２】
例えば、本実施の形態によれば、相手側被作用部６６６が第１カム突起であり、第１作用部３４０が第１カム溝である。しかしながら、相手側被作用部６６６が第１カム溝であり、第１作用部３４０が第１カム突起であってもよい。即ち、相手側被作用部６６６及び第１作用部３４０の一方が第１カム突起であり他方が第１カム溝であればよい。
【０１０３】
同様に、被作用部５４０が第２カム溝であり、第２作用部４５０が第２カム突起であってもよい。即ち、被作用部５４０及び第２作用部４５０の一方が第２カム突起であり他方は第２カム溝であればよい。
【０１０４】
また、ハウジング２００は、カム機構を使用しない第１嵌合操作によって嵌合開始位置から嵌合位置に移動されてもよい。同様に、サブコネクタ５００は、カム機構を使用しない第２嵌合操作によって保持位置から接続位置に移動されてもよい。
【０１０５】
また、第１操作部材３００は、第１嵌合操作によって回転するのでなく、例えばスライドしてもよい。即ち、第１嵌合操作による第１操作部材３００の移動方法及びハウジング２００の移動方向は、様々に変形可能である。同様に、第２操作部材４００は、第２嵌合操作によってスライドするのでなく、例えば回転してもよい。即ち、第２嵌合操作による第２操作部材４００の移動方法及びサブコネクタ５００の移動方向も、様々に変形可能である。また、ハウジング２００の嵌合方向とサブコネクタ５００の嵌合方向は異なっていてもよい。
【０１０６】
また、主端子２８０の２つの接触部２８２は、ヒューズを介して互いに接続されていてもよい。本実施の形態によれば、ハウジング２００はカバー部２１２を有しているため、ヒューズを覆うことができる。このため、作業者の感電や火傷を防止することができる。
【０１０７】
本実施の形態では、第２嵌合操作において突当部２４０を回避するように第２操作部材４００を規制解除位置へ移動させた。しかし、突当部を変形可能に構成し、第２嵌合操作部を第１位置から第２位置へ直接移動させるようにしてもよい。
【０１０８】
また、本実施の形態では、第２操作部材４００の初期位置から第１位置への移動を利用して、第２操作部材４００の移動規制（第１操作部材３００の長手方向における移動規制）を解除するようにした。しかし、第２操作部材４００が初めから第１位置に位置している場合には、第１操作部材３００の立てた位置から倒された位置への移動を利用して、第２操作部材４００の移動規制を解除するように、規制部及び被規制部を設けてもよい。即ち、相手側ハウジング６００を利用して第２操作部材４００の移動規制を解除するようにしてもよい。
【符号の説明】
【０１０９】
１０      コネクタ装置
２０      コネクタ
２００    ハウジング
２０２    前部
２０４    後部
２０６    前壁部
２０８    後壁部
２１０    側壁部
２１２    カバー部
２１４    前部側面
２１６    後部前面
２１８    後部側面
２２０    隔壁部
２２２    前収容部（前収容空間）
２２４    後収容部（後収容空間）
２２６    突出部
２２８    突出部
２４０    突当部
２４２    受容部
２５４    支持軸
２５６    ガイド溝
２６０    突出部
２６２    ロック部
２８０    主端子（電源端子）
２８２    接触部
２８４    連結部
２８６    被支持部
３００    第１操作部材（レバー）
３０２    側壁部
３０４    連結部
３０６    第１梁部
３０８    第２梁部
３１０    第１部
３１２    第２部
３１４    中間部
３１６    外面
３３０    支点部（軸溝）
３３２    溝カバー
３３４    窪み
３４０    第１作用部（第１カム溝）
３５０    バネ部
３５２    被ロック部
３５４    張出部
３５６    凹部（規制部）
３６０    スライド溝
４００    第２操作部材（スライダ）
４０２    側壁部
４０４    外面
４０６    内面
４０８    連結部
４１０    連結部
４２１    被規制部
４２０    第２操作部
４２２    バネ部
４２４    先端部
４４０    スライド突起
４５０    第２作用部（第２カム溝）
４６０    維持溝
４６２    被維持部
４７０    支持突起
４８０    被突当部
５００    サブコネクタ
５０１    サブハウジング
５０２    側壁部
５０６    外面
５０８    連結部
５１０    バネ部
５１２    突出部
５１４    位置保持部
５２０    バネ部
５２２    突出部
５２４    位置保持部
５３０    バネ部
５３２    突出部
５３４    力受け部
５４０    被作用部（第２カム突起）
５５０    保持部
５８０    副端子（検知端子）
５８２    被保持部
５８４    接触部
６０      相手側コネクタ
６００    相手側ハウジング
６１０    プレート
６１２    孔部
６２０    本体上部
６２２    前部
６２４    後部
６２６    前壁部
６２８    後壁部
６３０    側壁部
６３２    収容部（収容空間）
６３４    内面
６３６    前部内面
６３８    後部内面
６４０    中間部内面
６５０    主保持部
６５２    保持孔
６５４    副保持部
６５６    保持孔
６５８    キー部
６６２    維持部
６６４    突出部
６６６    相手側被作用部（第１カム突起）
６６８    押し戻し部
６７０    本体下部
６８０    相手側主端子
６８２    本体部
６８３    接触部
６８４    受容部
６８６    接触片
６８８    端子部
７００    相手側サブコネクタ
７１０    本体部
７１２    受容部
７８０    相手側副端子
７８２    接触部
７８４    端子部
７８６    電線
８００    ナット
８１０    ハトメ
【図１】
0006482077.tif 000002
【図２】
0006482077.tif 000003
【図３】
0006482077.tif 000004
【図４】
0006482077.tif 000005
【図５】
0006482077.tif 000006
【図６】
0006482077.tif 000007
【図７】
0006482077.tif 000008
【図８】
0006482077.tif 000009
【図９】
0006482077.tif 000010
【図１０】
0006482077.tif 000011
【図１１】
0006482077.tif 000012
【図１２】
0006482077.tif 000013
【図１３】
0006482077.tif 000014
【図１４】
0006482077.tif 000015
【図１５】
0006482077.tif 000016
【図１６】
0006482077.tif 000017
【図１７】
0006482077.tif 000018
【図１８】
0006482077.tif 000019
【図１９】
0006482077.tif 000020
【図２０】
0006482077.tif 000021
【図２１】
0006482077.tif 000022
【図２２】
0006482077.tif 000023
【図２３】
0006482077.tif 000024
【図２４】
0006482077.tif 000025
【図２５】
0006482077.tif 000026
【図２６】
0006482077.tif 000027
【図２７】
0006482077.tif 000028
【図２８】
0006482077.tif 000029
【図２９】
0006482077.tif 000030
【図３０】
0006482077.tif 000031
【図３１】
0006482077.tif 000032
【図３２】
0006482077.tif 000033
【図３３】
0006482077.tif 000034
【図３４】
0006482077.tif 000035
【図３５】
0006482077.tif 000036
【図３６】
0006482077.tif 000037
【図３７】
0006482077.tif 000038
【図３８】
0006482077.tif 000039
【図３９】
0006482077.tif 000040
【図４０】
0006482077.tif 000041